【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
上部エンクロージャ及び下部エンクロージャを有したハウジングであって、前記下部エンクロージャは前記上部エンクロージャから分離しているハウジング構造体であり、前記上部エンクロージャは前記下部エンクロージャと結合され、前記下部エンクロージャは側壁を有し、前記側壁は外部の音声コードに接続するための音声ジャックに通じる開口を有し、前記側壁はＵＳＢ音源コードに接続するためのＵＳＢコネクタを有する、ハウジングと、
前記ハウジングの内部に配置されたプリント回路基板であって、前記プリント回路基板は、音声ストリーミング・デバイスに無線で接続されている外部のコンピューティング・デバイスから無線で音声コンテンツを受信するための、電子回路を備えたプリント回路基板とを備え、
前記電子回路は音声出力回路を有し、該音声出力回路は前記外部の音声コードがデジタル音声コードであるか、又はアナログ音声コードであるかを判定し、前記音声出力回路は、前記外部の音声コードがデジタル音声コードであると判定されたことに応じて前記音声コンテンツをデジタル・フォーマットで初期化し、及び前記外部の音声コードがアナログ音声コードであると判定されたことに応じて前記音声コンテンツをアナログ・フォーマットで初期化するように構成され、
前記電子回路はさらに、前記外部の音声コードを通じて外部のスピーカへ前記音声コンテンツを送信するよう構成されている、音声ストリーミング・デバイス。
【請求項２】
前記側壁は前記音声ストリーミング・デバイスをリセットするように構成されているリセット・ボタンを備える、請求項１に記載の音声ストリーミング・デバイス。
【請求項３】
前記下部エンクロージャの内面に結合されているヒート・スプレッダをさらに有する、請求項１に記載の音声ストリーミング・デバイス。
【請求項４】
前記側壁は５〜１０ミリメートルの範囲の一定の高さを有する、請求項１に記載の音声ストリーミング・デバイス。
【請求項５】
前記下部エンクロージャに結合されたライト・パイプをさらに備え、前記電子回路は、ライト・パイプを介した光の点灯によって前記音声ストリーミング・デバイスの操作状況を示すために、前記ライト・パイプを介して光を点灯するように構成されている、請求項１に記載の音声ストリーミング・デバイス。
【請求項６】
前記ハウジングの前記下部エンクロージャは一定の直径を有した略円柱形をなす、請求項１に記載の音声ストリーミング・デバイス。
【請求項７】
前記プリント回路基板は第１面と第２面を有し、前記第２面は第１面と反対側にあり、前記音声出力回路は前記第１面に結合され、前記電子回路はシステム・オン・チップ（ＳＯＣ）を含んでなり、前記システム・オン・チップは前記第２面に結合されている、請求項１に記載の音声ストリーミング・デバイス。
【請求項８】
前記ＵＳＢコネクタはマイクロＵＳＢコネクタである、請求項１に記載の音声ストリーミング・デバイス。
【請求項９】
前記プリント回路基板は、前記プリント回路基板の第１面に配置される複数の第１の集積回路と、前記プリント回路基板の第２面に配置される複数の第２集積回路とを含んでなり、
前記プリント回路基板は、前記複数の前記第１の集積回路をカバーする二層シールドを有し、前記二層シールドは前記第１面に結合された内側フレームと、前記内側フレームに結合されたカバー・シールドとを含んでなる、請求項１に記載の音声ストリーミング・デバイス。
【請求項１０】
上面を画定する上部エンクロージャ及び下面を画定する下部エンクロージャを有したハウジングであって、前記下部エンクロージャは前記上面及び前記下面に概ね垂直に設けられた側壁を有し、前記下部エンクロージャは前記上部エンクロージャから分離しているハウジング構造体であり、前記上部エンクロージャは前記下部エンクロージャと結合され、前記側壁は外部の音声コードに接続するための音声ジャックに通じる開口を有し、前記側壁はＵＳＢ音源コードに接続するためのＵＳＢコネクタを有する、ハウジングと、
前記ハウジングの内部に配置されたプリント回路基板であって、前記プリント回路基板は、音声ストリーミング・デバイスに無線で接続されている外部のコンピューティング・デバイスから無線で音声コンテンツを受信するための、電子回路を備えたプリント回路基板とを備え、
前記電子回路は音声出力回路を有し、該音声出力回路は前記外部の音声コードがデジタル音声コードであるか、又はアナログ音声コードであるかを判定し、前記音声出力回路は、前記外部の音声コードがデジタル音声コードであると判定されたことに応じて前記音声コンテンツをデジタル・フォーマットで初期化し、及び前記外部の音声コードがアナログ音声コードであると判定されたことに応じて前記音声コンテンツをアナログ・フォーマットで初期化するように構成され、
前記電子回路はさらに、前記外部の音声コードを通じて外部のスピーカへ前記音声コンテンツを送信するよう構成され、
前記プリント回路基板は第１面と第２面を有し、前記第２面は第１面と反対側にあり、前記電子回路はシステム・オン・チップ（ＳＯＣ）、フラッシュメモリ、Ｗｉ−Ｆｉチップ、及びランダム・アクセス・メモリのうちの少なくとも１つを含んでなり、前記システム・オン・チップ及び前記フラッシュメモリは前記第１面に結合され、前記Ｗｉ−Ｆｉチップ、前記ランダム・アクセス・メモリ、及び前記音声出力回路は前記第２面に結合されている、音声ストリーミング・デバイス。
【請求項１１】
前記ハウジングは、４５〜５５ミリメートル（ｍｍ）の直径を有する、請求項１０に記載の音声ストリーミング・デバイス。
【請求項１２】
前記側壁は５〜１０ミリメートルの範囲の一定の高さを有する、請求項１０に記載の音声ストリーミング・デバイス。
【請求項１３】
前記下部エンクロージャの前記側壁にある開口を通して突出しているライト・パイプをさらに備える、請求項１０に記載の音声ストリーミング・デバイス。
【請求項１４】
前記下部エンクロージャは内面を画定し、前記音声ストリーミング・デバイスは前記下部エンクロージャの内面に結合しているヒート・スプレッダと、前記ヒート・スプレッダに結合している熱ジェルとを有する、請求項１０に記載の音声ストリーミング・デバイス。
【請求項１５】
前記プリント回路基板は前記システム・オン・チップと前記フラッシュメモリとを分離する第１の内側フレームを有した第１のシールドと、前記システム・オン・チップ及び前記フラッシュメモリをカバーする第１のカバーとを有し、前記プリント回路基板は前記Ｗｉ−Ｆｉチップと前記ランダム・アクセス・メモリとを分離する第２の内側フレームを有した第２のシールドと、前記Ｗｉ−Ｆｉチップ及び前記ランダム・アクセス・メモリをカバーする第２のカバーとを有する、請求項１０に記載の音声ストリーミング・デバイス。
【手続補正２】
【補正対象書類名】明細書
【補正対象項目名】００１８
【補正方法】変更
【補正の内容】
【００１８】
メディア・ストリーミング・デバイスは、一定のサイズ、形状、及び重量を有し得る。コード・セグメントは、ユーザの視点からは、ストリーミング・ソリューション全体が１つの延長コードとして、電子モジュールがそのコードに一体化された状態で現れるよう、一定の厚さを有し得る。いくつかの従来のメディア・ストリーミング・デバイスにおいて、コネクタはメディア・ストリーミング・デバイスのハウジングから直接的に延びており、メディア・ストリーミング・デバイスのコネクタは受信デバイス（たとえば、メディア・ストリーミング・ドングル又はメディア・ストリーミング・スティック）のコネクタに直接的に差し込まれている。一方、本開示の様々な実施形態において、コード・セグメントはメディア・ストリーミング・デバイスに連結され、受信デバイスがコード・セグメントを介してメディア・ストリーミング・デバイスに接続されるよう、コネクタはコード・セグメントの端部上に設置される。コード・セグメントは、受信デバイスから離れた位置においてメディア・ストリーミング・デバイスを掛けるために、一定の厚み及び剛性を有する。いくつかの例において、コード・セグメントのうち一方又は両方は、一定の形を維持するよう構成されている形状記憶材料を含み得る。
本発明の第１の態様は、メディア・コンテンツ・ソースから無線でメディア・コンテンツを受信するよう構成されている電子回路を含むメディア・ストリーミング・デバイスと、
前記メディア・ストリーミング・デバイスの音声ポートに連結されるよう構成されている第１端部と音声レンダリング・デバイスに連結されるよう構成されている第２端部とを有する音声出力コード・セグメントとを備え、
前記電子回路はさらに、前記音声出力コード・セグメントを通じて前記音声レンダリング・デバイスへ音声コンテンツを送信するよう構成されている、
装置を要旨とする。
本発明の第２の態様は、第１の態様において、前記メディア・ストリーミング・デバイスに連結されるよう構成されている第１端部と電源に連結されるよう構成されている第２端部とを有する電力コード・セグメントをさらに備えることを要旨とする。
本発明の第３の態様は、第１又は第２の態様において、前記第１端部は前記メディア・ストリーミング・デバイスの前記音声ポートに着脱自在に連結されることを要旨とする。
本発明の第４の態様は、第１の態様において、前記音声出力コード・セグメントはデジタル・コード・セグメントを含むことを要旨とする。
本発明の第５の態様は、第１の態様において、前記音声出力コード・セグメントはアナログ・コード・セグメントを含むことを要旨とする。
本発明の第６の態様は、第１又は第２の態様において、前記メディア・ストリーミング・デバイスのハウジングは略円柱形であることを要旨とする。
本発明の第７の態様は、第１の態様において、前記メディア・ストリーミング・デバイスは、上部エンクロージャ・アセンブリと、集積回路を有する基板を前記基板の第１面及び第２面に有するプリント回路基板アセンブリと、下部エンクロージャ・アセンブリとを含み、
前記上部エンクロージャ・アセンブリは締結具を介して前記下部エンクロージャ・アセンブリに連結されることを要旨とする。
本発明の第８の態様は、第７の態様において、、
システム・オン・チップ（ＳＯＣ）が前記プリント回路基板アセンブリの前記基板の前記第１面に配置され、
音声出力回路が前記プリント回路基板アセンブリの前記基板の前記第２面に配置されることを要旨とする。
本発明の第９の態様は、第１の態様において、前記メディア・ストリーミング・デバイスは、電力コード・セグメントのマイクロＵＳＢコネクタを受けるよう構成されているマイクロＵＳＢコネクタを画定することを要旨とする。
本発明の第１０の態様は、第１の態様において、前記メディア・ストリーミング・デバイスは、プリント回路基板アセンブリを有し、
前記メディア・ストリーミング・デバイスは、マイクロＵＳＢコネクタを受けるよう構成されているマイクロ・ユニバーサル・シリアル・バス（ＵＳＢ）スロットを画定し、
前記装置は、前記マイクロＵＳＢスロットを介して前記メディア・ストリーミング・デバイスに連結されるよう構成されている前記マイクロＵＳＢコネクタを画定する第１端部を有する電力コード・セグメントをさらに備え、
前記電力コード・セグメントは電源に連結されるよう構成されている第２端部を有することを要旨とする。
本発明の第１１の態様は、第１０の態様において、前記メディア・ストリーミング・デバイスは、直径が４５〜５５ミリメートル（ｍｍ）の範囲内にある略円柱形を有することを要旨とする。
本発明の第１２の態様は、第１０又は第１１の態様において、前記メディア・ストリーミング・デバイスは、上部エンクロージャ・アセンブリと下部エンクロージャ・アセンブリとを含み、
前記上部エンクロージャ・アセンブリと前記下部エンクロージャ・アセンブリとの間に前記プリント回路基板アセンブリが配置されることを要旨とする。
本発明の第１３の態様は、第１２の態様において、前記プリント回路基板アセンブリは、前記プリント回路基板アセンブリの基板の同一面に配置される第１集積回路と第２集積回路とを有する複数の集積回路を含み、
前記プリント回路基板アセンブリは、前記複数の集積回路をカバーする二層シールドを有し、
前記二層シールドは、前記第１集積回路と前記第２集積回路とを分離させるシールド壁を有する内側フレームを含み、
前記二層シールドは、前記内側フレームに連結されるカバー・シールドを含むことを要旨とする。
本発明の第１４の態様は、第１０〜１３の態様のいずれか１つにおいて、前記音声出力コード・セグメントはデジタル・コード・セグメントを含むことを要旨とする。
本発明の第１５の態様は、第１０〜１３の態様のいずれか１つにおいて、前記音声出力コード・セグメントはアナログ・コード・セグメントを含むことを要旨とする。
本発明の第１６の態様は、第１の態様において、前記電子回路は、前記音声出力コード・セグメントのタイプを検出し、検出された前記タイプに従って音声コンテンツを初期化するよう構成されている音声出力回路を含み、
前記電子回路は、前記音声出力コード・セグメントを通じて前記音声レンダリング・デバイスへ初期化された前記音声コンテンツを送信するよう構成されていることを要旨とする。
本発明の第１７の態様は、第１６の態様において、前記音声出力回路は、前記音声出力コード・セグメントがデジタル・タイプ・コードであるかアナログ・タイプ・コードであるかを検出するよう構成されていることを要旨とする。
本発明の第１８の態様は、第１６又は第１７の態様において、前記音声出力回路は、前記メディア・ストリーミング・デバイスの基板に連結されることを要旨とする。
本発明の第１９の態様は、第１６〜第１８の態様のいずれか１つにおいて、前記メディア・ストリーミング・デバイスは、直径が４５〜５５ミリメートル（ｍｍ）の範囲内である略円柱形を有することを要旨とする。
本発明の第２０の態様は、第１６〜第１９の態様のいずれか１つにおいて、前記メディア・ストリーミング・デバイスは、上部エンクロージャ・アセンブリと、第１面及び第２面を含む基板を有するプリント回路基板アセンブリと、下部エンクロージャ・アセンブリとを含み、
前記上部エンクロージャ・アセンブリは、締結具を介して前記下部エンクロージャ・アセンブリに連結され、
前記音声出力回路は、前記基板の前記第１面に連結されることを要旨とする。